(57)【要約】【課題】ブッシングの交換作業中に生じた落下物が絶縁油に入ることを防止できる変圧器のブッシング交換具を提供することを課題とする。【解決手段】絶縁油が充填される変圧器のケースの内面に対して、ブッシングよりも下側であり且つ絶縁油の油面よりも上側でケースの内面に密着する密着部２と、該密着部２に直接的又は間接的に延設され、且つ前記ブッシングからの落下物を受ける受部３とを備える、変圧器のブッシング交換具１。  【選択図】図４
2019140277.tif 000002
【特許請求の範囲】
【請求項１】
絶縁油が充填される変圧器のケースの内面に対して、ブッシングよりも下側であり且つ絶縁油の油面よりも上側でケースの内面に密着する密着部と、該密着部に直接的又は間接的に延設され、且つ前記ブッシングからの落下物を受ける受部とを備える、変圧器のブッシング交換具。
【請求項２】
前記密着部は、ケースの内面に対して密着状態で貼着する、請求項１に記載の変圧器のブッシング交換具。
【請求項３】
前記密着部は、前記ケースの内面に密着する密着面を有し、前記受部は、前記密着部から前記密着面とは反対側に広がるように形成され、該受部は、前記密着部に設けられ、且つ前記ブッシングと前記油面との間に配置される基端部と、該基端部の外方であり且つ前記ブッシングよりも上方に配置される頂部と、を有する、請求項１又は２に記載の変圧器のブッシング交換具。
【発明の詳細な説明】
【技術分野】
【０００１】
本発明は、変圧器のブッシングを交換するための変圧器のブッシング交換具に関する。
【背景技術】
【０００２】
従来、種々の変圧器が提供されており、例えば、特許文献１に開示されているような、電圧を変化させる電気部品を収容した密閉ケースと、該電気部品と外部の機器とを電気的に接続するためのリード線が設けられ且つ密閉ケースに挿通されるブッシングとを備えた変圧器が知られている。
【０００３】
密閉ケースは、上面に開口が形成され且つ内部に電気部品が配置されるケース本体と、該ケース本体の開口を開閉する蓋体とを備えている。
【０００４】
ケース本体内には、電気部品を絶縁するための絶縁油が充填されており、電気部品全体が絶縁油に浸されている。
【０００５】
ブッシングは、絶縁油の油面よりも上方側でケース本体に挿通されており、留め具によりケース本体の内面に固定されている。
【０００６】
かかる変圧器では、経年の劣化や、飛来物の衝突による破損等の理由でブッシングが新たなブッシングに交換されることがあり、この場合、作業者は、ケース本体内の留め具を外す作業や、ケース本体からブッシングを引き抜く作業等を行なっている。
【先行技術文献】
【特許文献】
【０００７】
【特許文献１】特開２０１１−５４７８２号公報
【発明の概要】
【発明が解決しようとする課題】
【０００８】
ところで、ブッシングの交換作業中にブッシングの破片や留め具等が落下物となって絶縁油に入ると、該落下物を絶縁油から引き上げて回収することができなくなり、変圧器自体の取り換えが必要となることがある。
【０００９】
そこで、本発明は、かかる実情に鑑み、ブッシングの交換作業中に生じた落下物が絶縁油に入ることを防止できる変圧器のブッシング交換具を提供することを課題とする。
【課題を解決するための手段】
【００１０】
本発明の変圧器のブッシング交換具は、絶縁油が充填される変圧器のケースの内面に対して、ブッシングよりも下側であり且つ絶縁油の油面よりも上側でケースの内面に密着する密着部と、該密着部に直接的又は間接的に延設され、且つ前記ブッシングからの落下物を受ける受部とを備える。
【００１１】
上記構成の変圧器のブッシング交換具によれば、ブッシングの下側にはケースの内面に密着させた密着部にブッシングからの落下物を受けるための受部が延設されているため、ブッシングの交換中に発生した落下物を、絶縁油上で受け止めることができる。
【００１２】
また、本発明の変圧器のブッシング交換具において、前記密着部は、ケースの内面に対して密着状態で貼着するようにしてもよい。
【００１３】
かかる構成によれば、密着部がケースの内面に対して密着状態で貼着されるため、落下物が密着部とケースの内面との間を通じて絶縁油に入ってしまうことを防止できる。
【００１４】
さらに、本発明の変圧器のブッシング交換具において、前記密着部は、前記ケースの内面に密着する密着面を有し、前記受部は、前記密着部から前記密着面とは反対側に広がるように形成され、該受部は、前記密着部に設けられ、且つ前記ブッシングと前記油面との間に配置される基端部と、該基端部の外方であり且つ前記ブッシングよりも上方に配置される頂部と、を有する。
【００１５】
かかる構成によれば、ブッシングの下側と周囲に受部が配置されるため、ブッシングから飛散した物体も受部で受けることができる。
【発明の効果】
【００１６】
以上のように、本発明の変圧器のブッシング交換具によれば、ブッシングの交換作業中に生じた落下物が絶縁油に入ることを防止できるという優れた効果を奏し得る。
【図面の簡単な説明】
【００１７】
【図１】図１は、本発明の一実施形態に係る交換具の平面図である。
【図２】図２は、同実施形態に係る交換具の背面図である。
【図３】図３は、図１のＩＩＩ−ＩＩＩ線における断面図である。
【図４】図４は、同実施形態に係る交換具の受部の展開図である。
【図５】図５は、同実施形態に係る交換具の使用状態の説明図であり、変圧器のケースに取り付けられた交換具を上方側から見た図である。
【図６】図６は、図５のＶＩ−ＶＩ線における断面図である。
【図７】図７は、変圧器の斜視図である。
【図８】図８は、図７に示す変圧器の縦断面拡大図である。
【発明を実施するための形態】
【００１８】
以下、本発明の一実施形態に係る変圧器のブッシング交換具（以下、交換具と称する）について、添付図面を参照しつつ説明を行う。本実施形態に係る交換具は、経年の劣化や、破損等の理由で変圧器のブッシングを交換する際に用いるものである。
【００１９】
交換具の説明に先立ち、変圧器の構成の説明を行う。
【００２０】
変圧器６は、図８に示すように、上面に開口が形成され、且つ電圧を変化させる電圧を変換するための変圧部Ｔ及び変圧部Ｔを絶縁するための絶縁油Ｏを収容するケース６０と、該ケース６０の開口を開閉する蓋体６１（図７参照）と、該ケース６０に挿通されるブッシング６２とを備えている。
【００２１】
ケース６０は、有底円筒状に形成されている。そのため、ケース６０の内面は、曲面となっている。
【００２２】
ブッシング６２は、ケース６０の側面に挿通されている。また、ブッシング６２は、ケース６０に挿通された状態でケース６０の内側に配置される内端部と、ケース６０の外側に配置される外端部と、を有する。
【００２３】
内端部には、変圧部Ｔに接続されたリード線Ｌ１が取り付けられ、外端部には、外部の機器に接続されるケーブルＬ２が取り付けられている。
【００２４】
なお、ブッシング６２は、ケース６０の内面に当接させて配置されている留め具によってケース６０に対して固定されている。
【００２５】
交換具１は、図１に示すように、ケース６０の内面に対してブッシング６２よりも下側であり且つ絶縁油Ｏの油面よりも上側で密着する密着部２（図６参照）と、ブッシング６２からの落下物を受ける受部３と、密着部２が設けられ且つ受部３を収容可能な収容部４と、ケース６０の内面に対する収容部４の位置決め作業（収容部４の貼着位置の調整作業）を補助するための位置決補助部５（図２参照）と、を備えている。
【００２６】
密着部２は、磁性を帯びている。本実施形態では、密着部２全体が磁石で構成されている。また、密着部２は、薄板状に形成されており、ケース６０の内面の形状に沿って湾曲している。
【００２７】
本実施形態に係る受部３は、図４に示すように、柔軟性を有するシート状の受部本体３０と、該受部本体３０をケース６０に固定するための固定具３１と、を備えている。
【００２８】
受部本体３０の外周縁部には、収容部４に接合されている接合縁部３００と、ケース６０の上端面に掛けられる掛止縁部３０１と、接合縁部３００から延出し且つ前記ケース６０の内面の周方向においてブッシング６２の両側に配置される一対の立上縁部３０２と、が含まれている。
【００２９】
接合縁部３００は、密着部２に対して間接的に設けられ且つブッシング６２と絶縁油Ｏの油面との間に配置される基端部でもある。
【００３０】
また、受部３では、上述のように、掛止縁部３０１がケース６０の上端面に掛けられるように構成されているため、掛止縁部３０１のうち該上端面に重ねて配置される部分は、受部３の中で最も高い場所に配置される頂部となる。さらに、この頂部は、接合縁部３００（基端部）よりも外方であり且つブッシング６２よりも上方に配置される。
【００３１】
本実施形態に係る受部本体３０は、ケース６０に対する密着部２の貼着位置を基準として前方及び横方向における外側に展開するように構成されている。
【００３２】
より具体的に説明すると、受部本体３０は、収容部４に設けられ且つ前記ブッシング６２の下方側から前方側に展開される中央シート部３２と、該中央シート部３２の横側に対して折り畳み可能に連設された一対の横側シート部３３と、を有しており、中央シート部３２と各横側シート部３３との境界には折り目が形成されている。
【００３３】
そのため、受部本体３０は、中央シート部３２上に各横側シート部３３を重ねるようにして折り畳んだ状態にでき、さらに、かかる状態のまま中央シート部３２の先端側（後述する先端部３２１側）から基端側（後述する固定端部３２０側）まで丸めることによりロール状にすることができる。
【００３４】
中央シート部３２は、収容部４に固定（接合）される固定端部３２０と、該固定端部３２０とは反対側の先端部３２１と、を有する。そして、中央シート部３２の先端部３２１は、掛止縁部３０１の一部を構成している。なお、本実施形態では、前記横方向における両側の端部を横端部と称する。
【００３５】
横側シート部３３は、中央シート部３２の横端部に連設されている連設端部３３０と、該連設端部３３０の外側（前記横方向における外側）に向けて膨らむように湾曲する湾曲縁部３３１と、連設端部３３０と湾曲縁部３３１との間で直線的に延びる直線縁部３３２と、を備えている。
【００３６】
直線縁部３３２は、中央シート部３２の固定端部３２０と横端部とが交わる角部から外方に向かって延出するように形成されている。直線縁部３３２は、受部３の立上縁部３０２を構成する部分である。
【００３７】
なお、受部３では、先端部３２１、連設端部３３０、湾曲縁部３３１よりも内側であり且つ固定端部３２０を含む領域が、ブッシング６２と絶縁油Ｏの油面、及びブッシング６２の周囲に展開する（広げる）中途部３０３となっている。
【００３８】
固定具３１は、湾曲縁部３３１の裏面側に取り付けられた磁石により構成されている。なお、固定具３１は、中央シート部３２の先端部３２１の裏面側にも取り付けられていてもよい。すなわち、固定具３１は、受部３の外周縁部をケース６０の上面に固定するように構成されていればよい。
【００３９】
収容部４は、図１に示すように、ブッシング６２の下側に配置される底面部４０と、該底面部４０の外周縁部に立設された周壁部４１と、を有する。
【００４０】
底面部４０の上面には、接合縁部３００（固定端部３２０）が接合されている。また、底面部４０の上面には、ロール状にされた受部３が載置されるように構成されている。周壁部４１は、ロール状にされた状態で底面部４０に載置された受部３の周囲を取り囲むように構成されている。
【００４１】
周壁部４１は、密着部２が設けられる背面壁部４１０と、該背面壁部４１０の前方側に配置される前面壁部４１１と、背面壁部４１０と前面壁部４１１とに連続する側面壁部４１２と、を有する。
【００４２】
背面壁部４１０は、ケース６０の内面に沿って湾曲している。また、背面壁部４１０には、図２、及び図３に示すように、上端側から下端側に向けて湾曲する配置用凹部４１０ａが形成されている。
【００４３】
背面壁部４１０の上端部側には密着部２が設けられ、背面壁部４１０の下端部側には位置決補助部５が設けられている。そのため、背面壁部４１０の外面には、密着部２と位置決補助部５とが縦並びとなるように配置されている。また、本実施形態においては、配置用凹部４１０ａの一方側と他方側とに一つずつ密着部２が設けられている。
【００４４】
位置決補助部５は、弾力性を有する一方で磁性は帯びない（磁力は持たない）ように構成されている。位置決補助部５は、例えば、スポンジ等で構成されていればよい。
【００４５】
本実施形態に係る交換具１の構成は以上の通りである。続いて、本実施形態に係る交換具１の使い方を説明する。
【００４６】
変圧器６のブッシング６２を交換するにあたり、変圧器６の蓋体６１を開ける。そして、交換具１をケース６０の内面に取り付ける。本実施形態では、収容部４内の受部３がブッシング６２よりも下側（すなわち、ブッシング６２と絶縁油Ｏとの間）に配置され、この状態で密着部２をケース６０の内面に貼着する。また、本実施形態では、背面壁部４１０の配置用凹部４１０ａ内にブッシング６２の一部が入るようにしている。
【００４７】
なお、収容部４の貼着位置を調整する際、密着部２と位置決補助部５のうちの位置決補助部５のみをケース６０の内面に当接させた状態にすれば、収容部４をケース６０の内面に当てがいながら移動させることができる（すなわち、貼着位置を調整することができる）。
【００４８】
そして、受部３を展開する。本実施形態では、ロール状の受部３をブッシング６２の下方側からブッシング６２の前方に向けて展開した後に（広げた後に）、中央シート部３２に重なっている各横側シート部３３を横方向における外側に展開する（広げる）。
【００４９】
また、湾曲縁部３３１、すなわち、中央シート部３２の先端部３２１、及び横側シート部３３の湾曲縁部３３１は、ケース６０の上端に被せた後に固定具３１でケース６０に固定する。本実施形態では、固定具３１が磁石であるため、この磁石をケース６０の外面に貼り付ける。
【００５０】
このようにすると、図５及び図６に示すように、受部３（より具体的には中途部３０３）がブッシング６２の下方側と周囲とに広がり、絶縁油Ｏの油面全体の上方が該受部３に覆われる。また、ケース６０の内面の周方向におけるブッシング６２の両側においては、ブッシング６２よりも下側に位置する接合縁部３００からケース６０の上端に向かって延びる立上縁部３０２（直線縁部３３２）がケース６０の内面に当接するため、ブッシング６２の両側が立上縁部３０２により遮られた状態になる。これにより、受部３によって絶縁油Ｏへの落下物や飛散物の侵入を防止できる状態で、ブッシング６２の交換作業を行えるようになる。
【００５１】
以上のように、本実施形態に係る交換具１によれば、該交換具１をケース６０の内面に取り付けるための密着部２は、ケース６０の内面に密着した状態で貼着されるため、ブッシング６２の下方側において、交換具１とケース６０の内面との間に隙間が生じないようになっている。また、ブッシング６２と絶縁油Ｏとの間が受部３によって仕切られるため、ブッシング６２の交換中に発生した落下物を受部３によって絶縁油Ｏ上で受け止めることができる。
【００５２】
従って、本実施形態に係る交換具１は、ブッシング６２の交換作業中に生じた落下物が絶縁油Ｏに入ることを防止できる、という優れた効果を奏し得る。
【００５３】
また、本実施形態では、受部３が絶縁油Ｏの油面全体を覆うように構成されているため、作業対象としているブッシング６２や、該ブッシング６２の周囲以外の場所から飛来した塵（例えば、風等に乗って飛来した塵）等が絶縁油Ｏに入ってしまうことも防止できる。
【００５４】
さらに、本実形態では、受部３が、ブッシング６２の下側と周囲に配置されるため、落下物だけでなく、ブッシング６２から外方に飛散した物体（例えば、ブッシング６２の破片や、ブッシング６２を固定するための留め具等）も受部３で受けることができる。
【００５５】
なお、本実施形態では、一対の立上縁部３０２が、ブッシング６２の下方側から上方側まで立ち上がった状態でケース６０の内面に当接するため、ブッシング６２の両側が立上縁部３０２により遮られ、これにより、ブッシング６２から飛散した物体をより確実に受部３で受けることができる。
【００５６】
さらに、交換具１は、シート状の受部３を折り畳んだ状態で収容する収容部４を備えているため、ケース６０に取り付ける際に、受部３が絶縁油Ｏに入ってしまうことを防止することができる。
【００５７】
また、使用時に展開した受部３を再び折り畳んで収容部４内に収容することも可能であるため、交換具１の携行性が高まる。
【００５８】
そして、本実施形態の収容部４の背面壁部４１０には、磁性を帯びた密着部２と、磁性を帯びない位置決補助部５とが縦並びにして設けられているため、収容部４の貼着位置を調整する際、密着部２と位置決補助部５のうちの位置決補助部５のみをケース６０の内面に当接させた状態にすれば、収容部４をケース６０の内面にあてがいながら移動させることができる（すなわち、貼着位置を調整することができる）。従って、交換具１の設置位置を調整し易くすることができる。
【００５９】
なお、本発明の交換具１は、上記実施形態に限定されるものではなく、本発明の要旨を逸脱しない範囲内において種々の変更を加え得ることは勿論である。
【００６０】
上記実施形態において、密着部２は、磁性を帯びたものであったが、この構成に限定されない。例えば、密着部２は、粘着性を有するものであってもよい。
【００６１】
上記実施形態において、交換具１は、収容部４を備えていたが、この構成に限定されない。例えば、交換具１は、収容部４を備えず、密着部２が受部３に対して直接的に設けられていてもよい。そのため、受部３の接合縁部３００（固定端部３２０）は、密着部２に対して直接的又は間接的に設けられていればよい。
【００６２】
上記実施形態において、受部３は、シート状であったが、予め所定の形状に形成されたもの（すなわち、定型性をもったもの）であってもよい。
【００６３】
上記実施形態において、受部３は、絶縁油Ｏの油面全体を覆うように構成されていたが、この構成に限定されない。例えば、受部３は、ブッシング６２の下方側とブッシング６２の周囲を覆うことができれば、絶縁油Ｏの油面上が開放されていてもよい。
【００６４】
上記実施形態において、固定具３１は、磁石により構成されていたが、粘着性を有するテープや、クリップ等により構成されていてもよい。
【００６５】
上記実施形態において、特に言及しなかったが、リード線Ｌ１は、収容部４の取付前、若しくは取付後に切断すればよい。
【符号の説明】
【００６６】
１…交換具、２…密着部、３…受部、４…収容部、５…位置決補助部、６…変圧器、３０…受部本体、３１…固定具、３２…中央シート部、３３…横側シート部、４０…底面部、４１…周壁部、６０…ケース、６１…蓋体、６２…ブッシング、３００…接合縁部、３０１…掛止縁部、３０２…立上縁部、３０３…中途部、３２０…固定端部、３２１…先端部、３３０…連設端部、３３１…湾曲縁部、３３２…直線縁部、４１０…背面壁部、４１０ａ…配置用凹部、４１１…前面壁部、４１２…側面壁部、Ｌ１…リード線、Ｌ２…ケーブル、Ｏ…絶縁油、Ｔ…変圧部
【図１】
2019140277.tif 000003
【図２】
2019140277.tif 000004
【図３】
2019140277.tif 000005
【図４】
2019140277.tif 000006
【図５】
2019140277.tif 000007
【図６】
2019140277.tif 000008
【図７】
2019140277.tif 000009
【図８】
2019140277.tif 000010